(57)【要約】【課題】通常の設置状態にある場合においても、配管系の接続部（例えば、給水栓と元配管との接続部）に「漏水」を生じた場合に、これを迅速に発見できると共に、漏れた水を確実に収集できる洗濯機用パンを提供する。【解決手段】洗濯機が搭載される搭載部１１を備えると共に床面２に設置され、裏面部と床面２との間に空間部が形成されるパン本体１０と、洗濯機に給水を行う給水栓３０と、を備える洗濯機用パン１である。給水栓３０と元配管５５との接続部Ｓを前記空間部内に配置し、接続部Ｓの下方に水受け部材６０を配置する。そして、水受け部材６０をパン本体１０の外側から可能とするための開口部１７を、パン本体１０に設けた。【選択図】      図３
2004337473.tif 000002
【特許請求の範囲】
【請求項１】
所定の洗濯機が搭載される搭載部を備えると共に所定の設置部に設置されるパン本体を具備し、該パン本体によって隠蔽される部位に配管系の接続部を配置する洗濯機用パンであって、
所定の配管系の接続部の下方に水受け部材を配置すると共に、
前記水受け部材を前記パン本体の外側から目視可能とするための開口部を、前記パン本体に設けたことを特徴とする洗濯機用パン。
【請求項２】
所定の洗濯機が搭載される搭載部を備えると共に所定の設置部に設置され、裏面部と前記設置部との間に所定の空間部が形成されるパン本体と、
前記洗濯機に給水を行う給水栓と、を備える洗濯機用パンであって、
前記給水栓と元配管との接続部を前記空間部内に配置し、前記接続部の下方に水受け部材を配置すると共に、
前記水受け部材を前記パン本体の外側から目視可能とするための開口部を、前記パン本体に設けたことを特徴とする洗濯機用パン。
【請求項３】
所定の洗濯機が搭載される搭載部を備えると共に所定の設置部に設置され、裏面部と前記設置部との間に所定の空間部が形成され、更に、前記洗濯機に給水を行う給水栓が装着される装着部を備えるパン本体を具備する洗濯機用パンであって、
前記空間部の一部によって前記給水栓と元配管との接続部を配置する接続部配置部位を構成し、前記接続部配置部位の下方に水受け部材を配置すると共に、
前記水受け部材を前記パン本体の外側から目視可能とするための開口部を、前記パン本体に設けたことを特徴とする洗濯機用パン。
【請求項４】
前記水受け部材において前記開口部を通じてパン本体の外側から目視可能な部位が、光を透過可能な光透過部を備えることを特徴とする請求項１乃至請求項３の何れかに記載の洗濯機用パン。
【請求項５】
前記光透過部において前記水受け部材の内側に位置する面部分に、高乱反射部位を備えることを特徴とする請求項４に記載の洗濯機用パン。
【請求項６】
前記水受け部材のうちの少なくとも一部が、前記開口部に嵌り込み、前記開口部を塞ぐように構成されることを特徴とする請求項１乃至請求項５の何れかに記載の洗濯機用パン。
【発明の詳細な説明】
【０００１】
【発明の属する技術分野】
本発明は、洗濯機用パンに関する。
【０００２】
【従来の技術】
洗濯機用パンの中には、その主要部を構成するパン本体によって隠蔽される部位に配管系の接続部を配置するものがある。例えば、洗濯機に給水を行う給水栓をパン本体に装着すると共に、この給水栓と、元配管の端末部とで構成される配管系の接続部を、パン本体の下方に配置するものがある（特許文献１参照）。そして、この種の洗濯機用パンの中には、かかる「配管系の接続部」を、床面の上方に配置するタイプ（以下、「従来例１」という。特許文献１の図４を参照）と、床面の下方に配置するタイプ（以下、「従来例２」という。特許文献１の図２を参照）と、が存在する。
【０００３】
【特許文献１】
特開平９−１７０２４９号公報（図２、図４等参照）
【０００４】
【発明が解決しようとする課題】
しかし、何れの従来例においても、洗濯機用パンが通常の設置状態にあるときにおいては、使用者が前記配管系の接続部やその周囲を目視できない。即ち、パン本体の取り外し等、構成部品の取り外しを行わないと、前記配管系の接続部やその周囲を目視できない。このため、この配管系の接続部で「漏水」を生じた場合に、迅速な発見が困難である。しかも、その漏れ出た水の確実な回収も、困難であったり、不可能であるため、漏れた水によって種々の損害を発生させることがある。例えば、集合住宅においては、漏れた水によって階下の部屋、階下の住宅の家財を濡らしてしまう等という、不具合を生ずる可能性もある。
【０００５】
本発明は、上述の課題を解決するものであり、通常の設置状態にある場合においても、所定の配管系の接続部に「漏水」を生じた場合に、これを迅速に発見できると共に、漏れた水を確実に回収できる洗濯機用パンを提供することを目的とする。
【０００６】
【課題を解決するための手段】
請求項１の発明の洗濯機用パンは、所定の洗濯機が搭載される搭載部を備えると共に所定の設置部に設置されるパン本体を具備し、該パン本体によって隠蔽される部位に配管系の接続部を配置する洗濯機用パンであって、
所定の配管系の接続部の下方に水受け部材を配置すると共に、
前記水受け部材を前記パン本体の外側から目視可能とするための開口部を、前記パン本体に設けたことを特徴とする。
【０００７】
請求項１の発明によると、所定の配管系の接続部の下方に水受け部材を配置するため、たとえ、この接続部に「漏水」を生じても、この接続部から「漏れ出た水」を、この水受け部材で確実に回収できる。更に、パン本体に設けた開口部を通じて、この水受け部材を外部（パン本体の外部）から目視可能とするため、この接続部における「漏水」を迅速に発見することができる。しかも、この「漏水」の発見や「漏れ出た水」の回収は、洗濯機用パンが施工状態（通常の設置状態であって、例えば、パン本体等の構成部材の取り外しを行わない状態）にあっても、行うことができる。そして、このように、「漏水」を生じた場合に、その迅速な発見を行ったり、漏れ出た水の確実な回収を行うことができるため、漏れた水による損害（例えば、階下の部屋、階下の住宅に対する浸水等に伴う家財の損害等）を効果的に抑制できる。
【０００８】
請求項１において、パン本体によって隠蔽される部位に配置される「配管系の接続部」としては、例えば、▲１▼洗濯機に給水を行う給水栓（パン本体に取着されているか否かを問わない。）と、この給水栓の１次側に配置される元配管との接続部、▲２▼洗濯機に給水を行う給水栓（パン本体に取着されているか否かを問わない。）と、この給水栓の２次側に配置される連絡用の配管（連絡管）との接続部、▲３▼洗濯機に給水を行う給水栓（パン本体に取着されているか否かを問わない。）の２次側に配置される連絡用の配管（連絡管）の端末部と、洗濯機の給水用のホースの始端部（例えば、ホース継ぎ手）との接続部を例示できる。更に、パン本体によって隠蔽される配管が、配管の本体部（ホース本体）と、この本体部の端部に取着される継ぎ手（例えば、継ぎ手部材、アダプター等）とで構成される場合には、この配管の本体部の端末部と、継ぎ手とによっても接続部を構成することができる。
【０００９】
請求項１の発明においては、パン本体（洗濯機用パン）を設置部に設置したときに、パン本体によって隠蔽される部位に、少なくとも１つの「配管系の接続部」を配置する。この接続部は、設置部の上方に配置されても、設置部の下方に配置されてもよい。また、パン本体によって隠蔽される部位に複数の「配管系の接続部」を配置する場合には、全ての「配管系の接続部」の下方に水受け部材を配置してもよいが、特に監視の必要がある「配管系の接続部」のみの下方に水受け部材を配置してもよい。例えば、（１）洗濯機に給水を行う給水栓と、この給水栓の１次側に配置される元配管との接続部、及び、（２）この元配管を構成する配管の本体部（ホース本体）と、継ぎ手（例えば、継ぎ手部材、アダプター等）とで構成される接続部、のうちの少なくとも一方の下方のみに水受け部材を配置してもよい。
【００１０】
請求項２の発明の洗濯機用パンは、所定の洗濯機が搭載される搭載部を備えると共に所定の設置部に設置され、裏面部と前記設置部との間に所定の空間部が形成されるパン本体と、
前記洗濯機に給水を行う給水栓と、を備える洗濯機用パンであって、
前記給水栓と元配管との接続部を前記空間部内に配置し、前記接続部の下方に水受け部材を配置すると共に、
前記水受け部材を前記パン本体の外側から目視可能とするための開口部を、前記パン本体に設けたことを特徴とする。
【００１１】
また、請求項３の発明の洗濯機用パンは、所定の洗濯機が搭載される搭載部を備えると共に所定の設置部に設置され、裏面部と前記設置部との間に所定の空間部が形成され、更に、前記洗濯機に給水を行う給水栓が装着される装着部を備えるパン本体を具備する洗濯機用パンであって、
前記空間部の一部によって前記給水栓と元配管との接続部を配置する接続部配置部位を構成し、前記接続部配置部位の下方に水受け部材を配置すると共に、
前記水受け部材を前記パン本体の外側から目視可能とするための開口部を、前記パン本体に設けたことを特徴とする。
【００１２】
ここで、請求項２及び請求項３の発明は、請求項１の発明を具体化したものである。また、請求項２の発明は、給水栓を構成要件とする洗濯機用パンを示し、請求項３の発明は、給水栓を構成要件としない洗濯機用パンを示している。
【００１３】
請求項２若しくは請求項３の発明によると、給水栓と元配管との接続部が設置部の上方であって、しかも、パン本体の裏面部と設置部との間の空間部（以下、「パン本体の内部空間」ということがある。）内に配置する。そして、この接続部の下方に水受け部材を配置するため、たとえ、給水栓と元配管との接続部に「漏水」を生じても、この接続部から「漏れ出た水」を、この水受け部材で確実に回収できる。更に、パン本体に設けた開口部を通じて、この水受け部材を外部（パン本体の外部）から目視可能とするため、給水栓と元配管との接続部における「漏水」を迅速に発見することができる。
【００１４】
しかも、請求項２若しくは請求項３の発明によると、この「漏水」の発見や「漏れ出た水」の回収は、洗濯機用パンが施工状態（通常の設置状態であって、例えば、パン本体等の構成部材の取り外しを行わない状態）であっても、行うことができる。そして、このように、「漏水」を生じた場合に、その迅速な発見を行ったり、漏れ出た水の確実な回収を行うことができるため、漏れた水による損害（例えば、階下の部屋、階下の住宅に対する浸水等に伴う家財の損害等）を効果的に抑制できる。
【００１５】
尚、請求項２及び請求項３の発明において、「水受け部材」の設置箇所は種々選択でき、▲１▼「パン本体の内部空間内であって、かつ、設置部から選択される所望の部位」の他に、▲２▼「パン本体の内部空間内であって、かつ、設置部よりも上方の部位」や、▲３▼「パン本体の内部空間の直下であって、かつ、設置部よりも下方の部位」等を例示できる。
【００１６】
ここで、各請求項の発明の「設置部」としては、例えば、洗濯機の設置空間（洗濯室、洗面所、浴室、脱衣場等）の床面等を例示できる。また、各請求項の発明の水受け部材の具体的な構成としては、上方に開口する容器形状（トレイ形状）のもの等を例示できる。
【００１７】
各請求項の発明の「開口部」の形成箇所、数、サイズは、種々選択可能である。例えば、▲１▼パン本体が、洗濯機を搭載する搭載部と、搭載部の周縁部に配置される周壁部とを備える場合に、周壁部の側面部（外壁と内壁の二重壁の場合には、何れの壁でもよい。以下、「周壁部の側面部」に関しては、同様な意味で用いる。）及び上面部のうちの少なくとも一方に、１つ若しくは複数の開口部を設ける態様を例示できる。また、▲２▼パン本体が、洗濯機を搭載する搭載部と、搭載部の周縁部に配置される周壁部と、搭載部及び周壁部のうちの少なくとも一方から突出する突出部とを備える場合に、周壁部の側面部、周壁部の上面部、突出部の側面部及び突出部の上面部のうちの少なくとも一箇所において、１つ若しくは複数の開口部を設ける態様を例示することもできる。
【００１８】
各請求項の発明においては、実際に必要な数（例えば、１つ）の整数倍（例えば、２倍〜１０倍）の数の「開口部」を設けると共に、「設置部」の種々の状況に応じて最適な開口部を選択的に使用してもよい。例えば、平面形状略矩形状の洗濯機用パンにおいて、１つの角部の両脇に位置する２つの壁面部（周壁部の側面部や突出部の側面部等）にそれぞれ開口部を設け、この２つの開口部のうちの一方を用いてもよい。例えば、一方の壁面部は使用者の側を向き、使用者が目視可能であるが、他方の壁面部が洗濯機機の設置空間の壁面を向き、使用者が目視困難若しくは不可能な場合には、前者を選択使用すればよい。かかる場合に、不使用となる開口部は、所定の封止部材（例えば、キャップ）を用いて封止することができる。
【００１９】
各請求項の発明の給水栓は、洗濯機に対して水道配管から供給される水をそのまま給水するものであっても、１次側に配置される給湯器で予め所望温度に調温された水（湯）を給水するものであってもよい。また、各請求項の発明の給水栓は湯水混合水栓であってもよい。この場合、洗濯機用パンには、「給水栓及び給湯用の元配管の接続部」や「給水栓及び給水用の元配管の接続部」等が存在するが、個々の接続部の下方に別々の「水受け部材」を配置してもよいし、全接続部若しくは複数の接続部からの漏水に対応可能な「水受け部材」を配置してもよい。尚、複数の「水受け部材」を配置する態様において、個々の「水受け部材」毎に別々の「開口部」を設けてもよいし、全「水受け部材」や複数の「水受け部材」を対象とする「開口部」を設けてもよい。
【００２０】
請求項４の発明の洗濯機用パンは、請求項１乃至請求項３の何れかに記載の洗濯機用パンにおいて、前記水受け部材において前記開口部を通じてパン本体の外側から目視可能な部位が、光を透過可能な光透過部を備えることを特徴とする。
【００２１】
請求項４の発明では、水受け部材が「光透過部」を備えるため、パン本体の外側から、水受け部材の内部の状態（例えば、水が貯まっているか否か、貯まった水の量等）を把握することがより一層容易となる。
【００２２】
ここで、「光透過部」は、水受け部材の内部の状態を、外側から水受け部材を透かして目視可能とする部分である。この「光透過部」としては、例えば、透明体（例えば、透明なガラスや樹脂等で構成）によって構成される「透明部」や、半透明体によって構成される「半透明部」を例示できる。尚、「透明部」とは、水受け部材の外部からその内部をくっきりと透けて見える状態とする部分を指し、「光透過部」とは、透明部よりも透明の程度が低いが、水受け部材の外部からその内部を透けて見える状態とする部分を指す。
【００２３】
各発明においては、「水受け部材」の全体がパン本体の外側から目視可能な部位とされても、「水受け部材」の一部のみがパン本体の外側から目視可能な部位とされてもよい。また、請求項４の発明においては、「水受け部材」の全体を「光透過部」で構成しても、「水受け部材」の一部のみを「光透過部」で構成してもよい。例えば、「水受け部材」を、上方に開口する容器形状（トレイ形状）とすると共に、この水受け部材の側部（側壁部や側壁部から突出する部分）が、パン本体の外側から目視可能な部位とされる場合においては、この水受け部材の側部の全体若しくは一部を光透過部とすることができる。
【００２４】
更に、請求項４の発明においては、「光透過部」を色付きの部分（例えば、青色、オレンジ色、黄色等に着色された透明体若しくは半透明体）としてもよい。つまり、「水受け部材」の内部を、「無色の光透過部」を通じて目視した場合には、「水受け部材」が空の状態（以下、「空状態」という。）にあるのか、漏れた水が貯まった状態（以下、「水貯まり状態」という。）にあるのか、が判別し難い場合がある。これに対し、「水受け部材」の内部を、「色付きの光透過部」を通じて目視した場合には、「空状態」にあるときよりも、「水貯まり状態」にあるの方が、光透過部の色がくっきりと見えるため、水漏れの有無の判別がより一層、容易となる。
【００２５】
ここで、「水貯まり状態」にあるの方が光透過部の色がくっきりと見えるのは、「水貯まり状態」にあるときには、「空状態」にあるときに比べて、「光透過部」における「乱反射」の度合いが弱くなるからである。また、この「光透過部」の色を、洗濯機用パン（特に、パン本体）の色（例えば、クリーム色）とは異なる色とすれば、「光透過部」がより一層目立ち易くなり、より好適である。
【００２６】
尚、本各発明において、請求項４の発明の発明が適用されない場合には、「水受け部材」が光透過部を備えない形態とすることもできる。例えば、「水受け部材」を、上方に開口する容器形状（トレイ形状）とする場合には、パン本体の開口部を水受け部材の上方に設け、この開口部から水受け部材の内部を覗き込む態様とすればよい。
【００２７】
請求項５の発明の洗濯機用パンは、請求項４に記載の洗濯機用パンにおいて、前記光透過部において前記水受け部材の内側に位置する面部分に、高乱反射部位を備えることを特徴とする。
【００２８】
請求項５の発明によると、水受け部材の状態がパン本体の外側からより一層、判別容易となる。つまり、水受け部材が「空状態」にある場合等には、高乱反射部位が強く乱反射するが、水受け部材が「水貯まり状態」にあると、この強い乱反射が抑制される。即ち、使用者にとっては、高乱反射部位の乱反射の度合いの変化によって、水受け部材内の状態（水の有無、水の量等）を確実に把握することができる。
【００２９】
ここで、「高乱反射部位」は、例えば、面粗度が高められた結果、強い乱反射を生じ易くなった部位を指す。より具体的には、「梨地」とされた部位や、傷、スジ若しくは凹凸等が設けられた部位（所謂、「磨りガラス」状、「曇りガラス」状とされた部位等も含む。）等を例示できる。尚、この「高乱反射部位」は、「光透過部」の全体に設けられても、一部に設けられてもよい。
【００３０】
請求項６の発明の洗濯機用パンは、請求項１乃至請求項５の何れかに記載の洗濯機用パンにおいて、前記水受け部材のうちの少なくとも一部が、前記開口部に嵌り込み、前記開口部を塞ぐように構成されることを特徴とする。
【００３１】
請求項６の発明によると、水受け部材のうちの少なくとも一部が、パン本体の表面側により近接するため、使用者は、水受け部材を目視することがより一層容易となる。また、「給水栓と元配管との接続部」を配置する接続部配置部位や、水受け部材の配置部位を、パン本体内の奥まった位置に設けても、使用者は、パン本体の外側から容易に水受け部材を目視することができる。例えば、使用者が、開口部の内部を覗き込まなくても、パン本体の外側から容易に水受け部材（特に、水受け部材の一部）を目視することができる。
【００３２】
【発明の実施の形態】
次に、本各発明に係わる「洗濯機用パン」の実施の形態を図面に従って詳細に説明する。
【００３３】
本実施例では、先ず、図１〜図４を用いて第１の実施例について説明する。この第１の実施例では、請求項２の発明等を充足する洗濯機用パン１について説明する。本洗濯機用パン１は、図１及び図２に示すように、パン本体１０と、給水栓３０と、吐水口部材４０と、連絡用配管５０と、水受け部材６０とを備えている。
【００３４】
この洗濯機用パン１は、設置部の一例を構成する床面２に設置されている。尚、この床面２において、洗濯機用パン１の下方に位置する部分（以下、「パン下部」という。）２Ａは略矩形状に構成されている。また、このパン下部２Ａにおいて、その１つの角部に近接する部位が、元配管５５の端末部の立ち上げ箇所となっている。
【００３５】
パン本体１０は、図１に示すように、合成樹脂（例えば、ポリプロピレンやＡＢＳ等）を用いて構成されると共に、床面２（パン下部２Ａ上）に設置されている。このパン本体１０は、略矩形の平面形状とされた搭載部１１と、搭載部１１の周縁部に沿って設けられた周壁部１２と、搭載部１１の１つの角部において隆起した第１の収納部１３と、搭載部１１の他の角部において隆起した第２の収納部１４と、を備えている。尚、図示を省略するが、パン本体１０の略中央部には表裏を貫通する状態で取付孔が設けられ、この取付孔には洗濯機の排水ホースが接続される「排水トラップ」が装着されている。
【００３６】
搭載部１１は、図２に示すように、パン本体１０の表面部側（上面部側）の主要部を構成する部分であって、その表面（上面）１１ａに所定の洗濯機が搭載される。この搭載部１１は、周壁部１２の上下方向に沿った中間部と一体とされている。即ち、パン本体１０は、搭載部１１を底部とする「上げ底の略容器形状」を備えている。このため、本洗濯機用パン１を床面２に設置すると、搭載部１１の裏面１１ｂ全域と、床面２との間に下空間３が形成される。
【００３７】
周壁部１２は、図１に示すように、搭載部１１の周縁部と一体とされながら立設された内壁部１２ａと、この内壁部１２ａの外側に略平行に立設された外壁部１２ｂと、内壁部１２ａ及び外壁部１２ｂの両上端部間を掛け渡す上面部１２ｃとを備えている。尚、この周壁部１２のうちで、搭載部１１の上方に位置する部分は、搭載部１１の上に漏れ出た水が、本洗濯機用パン１の外側にこぼれ出ることを防止するための防水壁として機能する。
【００３８】
第１の収納部１３は、図１に示すように、略長円状の平面形状を備えており、搭載部１１の１つの角部において、周壁部１２の上面部１２ｃよりも上方に隆起している。この第１の収納部１３は、図２に示すように、元配管５５の端末部の立ち上げ箇所の上方に配置され、給水栓３０の装着部を構成する。また、第１の収納部１３は、その内部空間１３ａによって、給水栓３０と元配管５５との接続部Ｓを配置する接続部配置部位を構成する。更に、第１の収納部１３の上面部１３ｂには取付孔１３ｃが設けられている。そして、本洗濯機用パン１を設置状態とすると、この取付孔１３ｃの略下方に元配管５５の端末部の立ち上げ箇所が位置する。
【００３９】
第２の収納部１４も、図１に示すように、略長円状の平面形状を備えており、搭載部１１の他の角部（第１の収納部１３が設けられていない角部）において、周壁部１２の上面部１２ｃよりも上方に隆起している。この第２の収納部１４は、後述するように、吐水口部材４０の装着部を構成している。
【００４０】
ここで、第１の収納部１３の内部空間１３ａは、前述の下空間３及び周壁部１２の内部空間（図示を省略）と連通している。また、第２の収納部１４の内部空間１４ａも、前述の下空間３及び周壁部１２の内部空間（図示を省略）と連通している。そして、本実施例では、下空間３と、周壁部１２の内部空間（図示を省略）と、第１の収納部１３の内部空間１３ａと、第２の収納部１４の内部空間１４ａとを合わせたものが、請求項２及び請求項３の発明に示す「所定の空間部（つまり、パン本体１０の裏面部と、設置部２との間に形成される空間部）」の一具体例を構成している。
【００４１】
外壁部１２ｂは、略矩形状に並ぶ４つの壁面部（１５ａ、１５ｂ等）を備えているが、このうちの１つの壁面部１５ａの一部が、平面略矩形状に切り欠かれ、切り欠き部１６とされている。即ち、この切り欠き部１６は、外壁部１２ｂを構成する１つの壁面部１５ａにおいて、第１の収納部１３の直下に位置する部位に設けられると共に、外壁部１２ｂの側方（パン本体１０の側方）に開口する開口部１７を形成している。尚、この切り欠き部１６によって、パン本体１０の外部空間と、内部空間（１３ａ、３、１４ａ等）が連通している。
【００４２】
給水栓３０は、元配管５５から供給される水を、図示しない洗濯機に供給するための単水栓である。この給水栓３０は、図３に示すように、水栓本体３１と、操作軸（例えば、スピンドル等）３８と、弁体３７と、操作部（例えば、ハンドル若しくはレバー）３９とを備えている。
【００４３】
水栓本体３１は、図３に示すように、１次側の接続口（元配管５５側の接続口）３２を下方に開口させ、２次側の接続口（洗濯機側の接続口）３３を側方に開口させている。また、上端側を、パン本体１０に固定するための固定部３４としている。即ち、固定部３４は軸線を上下に向けた略円筒形状に構成され、その外周面のうちで、上下方向中間部に位置する部位からは、固定部３４の半径方向外側に向かってフランジ３４ａを突出させている。また、固定部３４の外周面のうちで、フランジ３４ａよりも上方の部位には雄ネジ部３４ｂが設けられている。また、固定部３４の内周面には、後述する操作軸３８を螺進可能に支持するための雌ネジ部３４ｃが設けられている。
【００４４】
この固定部３４は、上端部を先頭に上面部１３ｂの下方から取付孔１３ｃに挿入されている。そして、雄ネジ部３４ｂが上面部１３ｂの上方に突出し、フランジ３４ａが上面部１３ｂの裏面に当接したところで、雄ネジ部３４ｂにフランジ付きの固定用ナット３５が螺合されている。これにより、フランジ３４ａと、固定用ナット３５のフランジとで上面部１３ｂが挟持され、水栓本体３１が上面部１３ｂに装着固定されている。
【００４５】
水栓本体１０の内部空間は、隔壁３６によって区画されている。そして、隔壁３６の１次側の空間部分は、１次側の接続口３２に連絡される１次室３６ａを構成し、隔壁３６の２次側の空間部分は、２次側の接続口３３に連絡される２次室（弁室）３６ｂを構成している。更に、隔壁３６には、１次室３６ａ及び２次室３６ｂを連通する連通孔３６ｃが設けられている。
【００４６】
操作軸３８は、中間部周面に雄ネジ部３８ａを備え、下端面に弁体（例えば、「こま」）３７をねじ止め固定している。更に、操作軸３８の一端部（上端部）には、操作部３９が、操作軸３８と一体で回動可能な状態に取着されている。このように、弁体３７が固定された操作軸３８は、その雄ネジ部２２を固定部３４の雌ネジ部３４ｃに螺合させ、固定部３４の軸心方向（上下方向）に螺進可能とされている。そして、操作軸３８が下方に螺進し、弁体３７の下端面が隔壁３６に当接し、連通孔３６ｃを閉塞すると、１次室３６ａ及び２次室３６ｂは非連通とされる。一方、操作軸３８が上方に螺進し、弁体３７の下端面が隔壁３６から離間し、連通孔３６ｃを開放すると、１次室３６ａ及び２次室３６ｂは連通状態とされる。尚、本洗濯機用パン１は、自動洗濯機に対して特に好適に用いられるものである。しかも、給水栓３０の２次側の接続口３３に接続される「連絡用の内部配管５０」においては、その２次側の端末部にオートストッパー機構付きの「吐水口部材４０」が接続される。このため、本洗濯機用パン１が所定の設置部（例えば、床面２）に使用可能な状態に設置されると、連通孔３６ｃは常に開放された状態（給水栓３０の弁座部を開放した状態）とされる。
【００４７】
水栓本体３１の１次側の接続口３２には、元配管５５の端末部が接続され、接続部Ｓを構成している。この接続部Ｓは、「給水栓と元配管との接続部」の一具体例を示しており、本実施例では、請求項２の発明に従って、この接続部Ｓが、「パン本体１０の内部空間（１３ａ、３、１４ａ等）」内であって、しかも、床面２の上方に位置している。
【００４８】
ここで、元配管５５の端末部は、前述のように、パン下部２Ａの１つの角部に近接する部位から立ち上げられている。そして、この元配管５５の端末部の立ち上げ位置は、本洗濯機用パン１を床面２（パン下部２Ａ上）に設置したときに、開口部１７に近接する位置とされている。この元配管５５の端末部は、元配管の本体部（ホース本体）５５ａの端部と、この端部に取着された継ぎ手５５ｂとを備え、継ぎ手５５ｂの外径は本体部（ホース本体）５５ａよりも大きくされている。また、配管の本体部（ホース本体）５５ａの反給水栓３０側は、水道配管にそのまま（給湯器等を介することなく、そのまま）接続されている。
【００４９】
この元配管５５の端末部においては、配管の本体部（ホース本体）５５ａの端末部の「雄型の接続手段」と、継ぎ手５５ｂの「雌型の接続手段（本体部５５ａ側の端部に形成）」と、が十分な水密性を維持した状態で接続されている。（例えば、前者の雄ネジ状の接続手段を後者の雌ネジ状の接続手段に、シール部材を介して水密状に螺合接続している。）。また、継ぎ手５５ｂは、給水栓３０に対し、所謂「雌型のワンタッチ継ぎ手」として機能する。つまり、この継ぎ手５５ｂは、雄型に構成された「１次側の接続口３２」を挿嵌状に受け入れると共に、内部に設けられた係止手段によって「１次側の接続口３２」を弾発状（弾性的）に係止して、元配管５５と「１次側の接続口３２」との接続を完了する。
【００５０】
水栓本体３１の２次側の接続口３３には、連絡用の内部配管５０が所定のアダプタ５１と、締結具（クリップ状の締結具等）５２とを介して接続されている。即ち、アダプタ５１は、一端部が２次側の接続口３３に、シール部材（図示を省略）を介して十分な水密性を維持した状態で螺合接続されている。また、アダプタ５１の他端部においては、連絡用の内部配管５０の一端部を挿嵌状に受け入れている（シール部材を介して十分な水密性を維持した状態）。そして、この状態で、アダプタ５１の他端部の固定用鍔部と、内部配管５０の一端部の固定用鍔部とが当接されると共に、この当接状態が、締結具（クリップ状の締結具等）５２によって堅固に維持されている。
【００５１】
尚、前述する「３つの配管系の接続部」、つまり、▲１▼元配管５５の端末部と、１次側の接続口３２とで構成される接続部、▲２▼配管の本体部（ホース本体）５５ａと、継ぎ手５５ｂとで構成される接続部Ｔと、▲３▼２次側の接続口３３と、連絡用の内部配管５０とで構成される接続部Ｕのうちでは、▲２▼の接続部Ｓがよりメンテナンスの対象とされ易いため、より着脱が容易な接続構造とされている。つまり、▲２▼の接続部Ｓに関しては、スパナ等の工具を用いることなく、元配管５５の端末部及び「１次側の接続口３２」を単に挿嵌するという手法で簡便に構成されている。
【００５２】
吐水口部材４０は、図２に示すように、給水栓３０の吐水口を構成するものであり、第２の収納部１４に装着されている。この吐水口部材４０の一端部（１次側の端部）と、連絡用の内部配管５０の端末部とは、十分な水密性を維持した状態で接続されている。尚、給水栓３０の２次側の接続口３３に、１次側の端部を接続された「連絡用の内部配管５０」は、第１の収納部１３の内部空間１３ａ、下空間３（即ち、搭載部１１の下方の内部空間）、第２の収納部１４の内部空間１４ａの順に通過して吐水口部材４０に到達している。
【００５３】
この吐水口部材４０は、端末部４１を第２の収納部１４の上方に突出させている。この端末部４１は、ホース継手の着脱に応じて自動的に吐止水を行うオートストッパー機構を備えており、この端末部４１に所定の洗濯機のホース継手が取着されると、その２次側（洗濯機のホース）への通水を可能とするが、このホース継手が取り外されると、その２次側（洗濯機のホース）への通水が不可能とされる。
【００５４】
水受け部材６０は、図３に示すように、透明な樹脂を用いて構成されると共に、上方に開口する容器（トレー）形状を備える。また、水受け部材６０は、略円筒容器形状の本体部６１と、本体部６１の外周面から突出する突出部６２とを備えている。
【００５５】
本体部６１は、図４（ａ）に示すように、中心位置に通過孔６３ａを形成した底面部６３ｂと、底面部６３ｂの外周縁から立ち上げられた外壁部６３ｃと、底面部６３ｂの内周縁（通過孔６３ａの周囲）から立ち上げられた内壁部６３ｄと、を備えている。
【００５６】
突出部６２は、横長で上方に開口する略直方体の容器形状を備えている。この突出部６２は、その内部空間を本体部６１の内部空間と連通させていると共に、底面部６２ａの上面を、本体部６１の底面部６３ｂの上面と面一にしている。このため、本体部６１に所定量の水が貯まり、所定の深さとなると、突出部６２においても、同じ深さの水が貯まることになる。
【００５７】
この水受け部材６０においては、内側に位置する面部分（本体部６１の内側の面部分と、突出部６２の内側の面部分）６６に、作為的な凹凸が設けられ（例えば、梨地加工が施され）、高乱反射部位６７とされている。つまり、水受け部材６０においては、内側に位置する面部分６６には、乱反射を高めるための乱反射加工が施されている。
【００５８】
この水受け部材６０は、パン下部２Ａのうちで、元配管５５の端末部の立ち上げ位置において、略中心位置に元配管５５を通過させた状態で、接続部Ｓの下方に配置されている。つまり、通過孔６３ａ及び内壁部６３ｄの内側を、元配管の本体部（ホース本体）５５ａが通過する状態としつつ、パン下部２Ａ（床面２）に配置されている。尚、大きな継ぎ手５５ｂの外径は、通過孔６３ａ及び内壁部６３ｄの内径よりも大きくされると共に、水受け部材６０の上方に配置されている。
【００５９】
このように、この水受け部材６０をパン下部２Ａ（床面２）に配置したとき、水受け部材６０の突出部６２は、その突出方向をパン下部２Ａの外側を向いた状態とする。そして、洗濯機用パン１をパン下部２Ａの上方に設置したときに、洗濯機用パン１の開口部１７（切り欠き部１６）と、水受け部材６０の突出部６２の突端部側と、が位置合わせされ、嵌合するため、この突端部側は開口部１７を通じて洗濯機用パン１の外側に露呈する。つまり、突出部６２の突端部側が切り欠き部１６に嵌合するため、洗濯機用パン１の周囲にいる使用者は、開口部１７を通じて、突出部６２を目視可能である。即ち、水受け部材６０の一部（突出部６２の反本体部６１側に位置する突端部側）が、開口部１７を通じてパン本体１０の外部に露呈するため、使用者は、開口部１７の内部を覗き込まなくても、水受け部材６０を目視することができる。
【００６０】
以上のように、本洗濯機用パン１では、給水栓３０と元配管５５との接続部Ｓを床面２の上方であって、しかも、「パン本体１０の内部空間（１３ａ、３、１４ａ等）」内に配置する。そして、この接続部Ｓの下方に水受け部材６０を配置するため、たとえ、接続部Ｓに「漏水」を生じても、この接続部Ｓから「漏れ出た水」を、この水受け部材６０で確実に回収できる。更に、パン本体１０に設けた開口部１７を通じて、この水受け部材６０を外部（パン本体１０の外部）から目視可能とするため、給水栓３０と元配管５５との接続部Ｓにおける「漏水」を迅速に発見することができる。
【００６１】
しかも、この「漏水」の発見や「漏れ出た水」の回収は、洗濯機用パン１が施工状態（通常の設置状態であって、例えば、パン本体１０の取り外し等の構成部材の取り外しを行わない状態）であっても、行うことができる。そして、このように、「漏水」を生じた場合に、その迅速な発見を行ったり、漏れ出た水の確実な回収を行うことができるため、漏れた水による損害（例えば、階下の部屋、階下の住宅に対する浸水等に伴う家財の損害等）を効果的に抑制できる。また、水受け部材６０を透明体で構成するため、パン本体１０の外側から、水受け部材６０の内部の状態（例えば、水が貯まっているか否か、貯まった水の量等）を把握することがより一層容易となる。
【００６２】
特に、本実施例では、水受け部材６０の内側に位置する面部分６６を、高乱反射部位６７とするため、水受け部材６０の状態がパン本体１０の外側からより一層、判別容易となる。つまり、図４（ｂ）に示すように、水受け部材６０内に、水が存在しなかったり、存在しても微量な場合は、高乱反射部位６７によって光の乱反射を強く生ずる。ところが、図４（ｃ）に示すように、水受け部材６０内に、ある程度の量の水が貯まると、高乱反射部位６７を構成する凹部（若しくは、傷や溝等の乱反射を誘発する部分）が貯まった水で埋められ、この高乱反射部位６７の平滑化がなされるため、乱反射が抑制される。このため、使用者は、この乱反射の度合いの変化に基づいて、水受け部材６０に貯まった「漏れ水の量」が増加したことを確実に検知することができる。
【００６３】
次に、図５を用いて、第２の実施例について説明する。この第２の実施例に係る洗濯機用パン１Ａは、請求項１の発明等を充足している。尚、この第２の実施例においては、第１の実施例と相違する部分を中心に説明する。この洗濯機用パン１Ａも、第１の実施例と同様な床面２（パン下部２Ａ上）に設置されている。
【００６４】
この第２の実施例では、▲１▼床面２（パン下部２Ａ）における「元配管５５の端末部の立ち上げ位置」に、床下挿入部２１を凹設状（貫通状でもよい。）に設ける点と、▲２▼水受け部材６０が床面２（パン下部２Ａ）の下方に配置される床下部６１ｂを備える点等が、実施例１と異なっている。また、▲３▼これらの相違によって、「元配管５５の端末部」の床面２（パン下部２Ａ）からの立ち上げ量が、第１の実施例に比べて少なくされている。この結果、▲４▼「第１の収納部１３」の高さや、給水栓３０の設置位置が、第１の実施例に比べて低くされ、洗濯機用パン１Ａとしての外観も向上している。
【００６５】
つまり、第２の実施例の水受け部材６０も、透明な樹脂を用いて構成されると共に、上方に開口する容器（トレー）形状を備える。また、この水受け部材６０も、略円筒容器形状の本体部６１と、本体部６１の外周面から突出する突出部６２とを備えている。また、この本体部６１も、中心位置に通過孔６３ａを形成した底面部６３ｂと、底面部６３ｂの外周縁から立ち上げられた外壁部６３ｃと、底面部６３ｂの内周縁（通過孔６３ａの周囲）から立ち上げられた内壁部６３ｄと、を備えている。
【００６６】
但し、第２の実施例の水受け部材６０の「本体部６１」においては、その上下方向に沿った中間位置に、内径及び外径を段差状に変化させる段差部６１ｃを備えている。そして、本体部６１において、段差部６１ｃよりも下方の部位が、内径及び外径を小さくされつつ（後述する床上部６１ａに比べて）、床下挿入部２１に挿入可能な床下部６１ｂとされている。また、本体部６１において、段差部６１ｃよりも上方の部位が、内径及び外径を大きくされつつ（前述の床下部６１ｂに比べて）、床面２の上方に配置される床上部６１ａとされている。
【００６７】
また、第２の実施例の水受け部材６０では、突出部６２が床上部６１ａの外周面から突出している。更に、内壁部６３ｄの高さ（全高）は、床下部６１ｂの高さ（全高）よりも低くされると共に、内壁部６３ｄは、元配管の本体部（ホース本体）５５ａを挿入可能であるが、継ぎ手５５ｂを挿入不能な内径を備えている。また、内壁部６３ｄの内周面には、周回溝が設けられ、この周回溝にはシール部材（例えば、パッキン等）６３ｅが装着されている。更に、床下部６１ｂにおいて内壁部６３ｄよりも上方の部位と、床上部６１ａは、継ぎ手５５ｂを挿入可能なサイズとされている。尚、突出部６２、元配管５５の端末部、洗濯機用パン１Ａの他の構成（「第１の収納部１３」の高さ以外の部分）、吐水口部材４０、「連絡用の内部配管５０」等については、第１の実施例と同様である。
【００６８】
床面２（パン下部２Ａ）の床下挿入部２１に、床下部６１ｂを挿入し、段差部６１ｃの下面を、床面２（パン下部２Ａ）における「床下挿入部２１の外側の部位」に当接させると共に、床上部６１ａを床面２（パン下部２Ａ）の上方に突出させる状態で、水受け部材６０が床面２（パン下部２Ａ）に設置されている。このように設置された水受け部材６０は、突出部６２の突出方向をパン下部２Ａの外側を向いた状態とする。そして、床面２（パン下部２Ａ）に洗濯機用パン１Ａを設置したときに、その開口部１７と、突出部６２の突端部側とが位置合わせされ、突出部６２の突端部側が開口部１７を通じて洗濯機用パン１Ａの外側に露呈する。
【００６９】
また、床下挿入部２１の下方から床面２の上方（パン下部２Ａの上方）に立ち上げられた本体部（ホース本体）５５ａは、内壁部６３ｄに挿通される。更に、継ぎ手５５ｂの下方側の一部は、水受け部材６０（内壁部６３ｄの上方側の部分）に挿入されている。即ち、第２の実施例では、元配管５５の端末部を床面２から立ち上げる構造を採用するが、床面２に床下挿入部２１を設けると共に、水受け部材６０の一部を床面２下に配置する。このため、「元配管５５の端末部の一部（下方側の一部）」であって、前述の第１の実施例においては、床面２から上方に突出していた部分を「床面２（パン下部２Ａ）」の下方に収納する。
【００７０】
つまり、この第２の実施例においては、元配管５５の端末部において、「床面２（パン下部２Ａ）」の上方に突出する部分の量を少なくできる。このため、元配管５５の端末部の上端（継ぎ手５５ｂの上端）の配置位置を低くできる。よって、給水栓３０と元配管５５との接続部Ｓの高さを低くでき、この結果、給水栓３０の設置位置、ひいては、第１の収納部１３の高さを、第１の実施例に比べて低くできる。
【００７１】
尚、本体部（ホース本体）５５ａの外周面と、内壁部６３ｄの内壁面との間には、前述のシール部材（パッキン等）６３ｅが介在され、水密性が確保されている。また、配管の本体部（ホース本体）５５ａと、継ぎ手５５ｂとで構成される接続部Ｔが床面２の下方に配置されるが、水受け部材６０内に配置されるため、たとえ、この接続部Ｔからの漏水を生じても、的確に対処できる。
【００７２】
以上の第２の実施例によると、第１の実施例の効果に加えて以下の効果が得られる。即ち、前述の如く、給水栓３０の設置位置を低くできるため、第１の収納部１３の高さを、第１の実施例に比べて低くできる。つまり、洗濯機用パン１Ａに設ける上方への突出部分の高さを低くできるため、洗濯機用パン１Ａの外観の向上を図ることができる。
【００７３】
尚、本各発明の範囲は前記各実施例に示す具体的な態様に限定されず、本各発明の範囲内で種々の変形例を例示できる。即ち、各実施例では、水受け部材６０の内側に位置する面部分６６の全域を高乱反射部位６７としたが、本実施例と異なり、この高乱反射部位６７を限定的に設けてもよい。例えば、洗濯機用パン１の周囲に存在する使用者が実際に目視可能な部位に限定して高乱反射部位６７を形成したり、このような目視可能な部位の一部に限定して高乱反射部位６７を形成してもよい。
【００７４】
図６に示す第１の変形例のように、水受け部材６０の内側に位置する面部分６６に高乱反射部位６７を形成するのではなく、水受け部材６０の内部であって、パン本体１０の外側から目視可能な部位に、高乱反射部位７７を備える高乱反射部体７０を配置してもよい。この高乱反射部体７０では、例えば、透明体等の光透過体（例えば、板状体等）で構成されると共に、パン本体１０の外側から開口部１７を通じて目視可能な面部分（例えば、洗濯機用パン１の外側を向いた外側面７１及び洗濯機用パン１の外側を向いた内側面７２のうちの少なくとも一方）に、高乱反射部位７７を構成する。
【００７５】
この変形例においても、図６（ｂ）に示すように、水受け部材６０内に、水が存在しなかったり、存在しても微量な場合は、高乱反射部位７７によって光の乱反射を強く生ずる。ところが、図６（ｃ）に示すように、水受け部材６０内に、ある程度の量の水が貯まると、高乱反射部位７７を構成する凹部（若しくは、傷や溝等の乱反射を誘発する部分）が貯まった水で埋められ、この高乱反射部位７７の平滑化がなされるため、乱反射が抑制される。このため、使用者は、この乱反射の変化に基づいて、水受け部材６０に貯まった「漏れ水の量」が増加したことを確実に検知することができる。
【００７６】
各実施例では、水受け部材６０の一部（例えば、突出部６２）を開口部１７に進入させたが、請求項１〜５の発明では、図７（ａ）に示す第２の変形例のように、水受け部材６０を、開口部１７に進入させない構成とすることもできる。また、水受け部材６０やその一部（例えば、突出部６２）を開口部１７に進入させるにしても、本実施例と異なり、「遊びを持った状態」で進入（遊入）させることもできる。
【００７７】
第３の変形例に示すように、水受け部材６０の所定の部位に（上方寄りの部位等）に水抜き孔７８を設け、この水抜き孔７８を排水手段（例えば、「排水トラップ」）に配管等で接続してもよい。この第３の変形例によると、仮に、接続部Ｓ等からの漏水を見過ごしても、この漏水を自動的に処理することができる。
【００７８】
各実施例では、使用者が、水受け部材６０の側部を目視可能な態様を例示したが、目視可能となる水受け部材６０の部位や、目視可能となる方向は、本実施例に限定されない。例えば、図８（ａ）及び（ｂ）の第４の変形例に示すように、開口部１７の位置を、水受け部材６０よりも上方とし、使用者が上方の開口部１７を通じて、下方の水受け部材６０の内部を覗き込む構成とすることもできる。
【００７９】
尚、この態様においては、例えば、空の状態にある水受け部材６０において、開口部１７の上方にある使用者の視線が到達しない部位に、文字、色彩、模様、図形等で示される警告用のメッセージ８１を設ける。しかも、このメッセージ８１が、図８（ｂ）に示すように、水受け部材６０に水が貯まり、水受け部材６０で光の屈折することを利用して、開口部１７の上方にある使用者が目視可能とされるようにしてもよい。この態様によると、水受け部材６０内に、ある程度の量の水が貯まると、メッセージ８１が観察可能となるため、使用者は、これに基づいて水受け部材６０に貯まった「漏れ水の量」が増加したことを確実に検知することができる。
【００８０】
各実施例では、洗濯機用パン１に１つの開口部１７を設ける態様を例示したが、複数の開口部を設ける態様を例示することもできる。例えば、図１の破線ａに示すように、パン本体１０の１つの角部を挟み対称な位置に、他の開口部を設けることもできる。例えば、実線で示す開口部１７の位置の側方に、家具や壁等の傷害物が存在し、この開口部１７が使用困難な場合には、この開口部１７を所定のキャップ等で封止し、破線ａの位置に設けられる開口部を使用する等、開口部の使い分けを行うこともできる。
【００８１】
【発明の効果】
以上のように、本各発明によると、通常の設置状態にある場合においても、配管系の接続部に「漏水」を生じた場合に、これを迅速に発見できると共に、漏れた水を確実に回収できる洗濯機用パンが得られる。
【図面の簡単な説明】
【図１】第１の実施例の洗濯機用パンの概略的な斜視図である。
【図２】図１のＩ−Ｉ縦断面図である。
【図３】図２の要部拡大縦断面図である。
【図４】（ａ）は第１の実施例の水受け部材を説明するための横断面図であり、（ｂ）及び（ｃ）は第１の実施例の水受け部材を説明するための一部縦断面図である。
【図５】第２の実施例の洗濯機用パンの概略的な要部拡大縦断面図である。
【図６】（ａ）は第１の変形例に係る水受け部材を説明するための横断面図であり、（ｂ）及び（ｃ）は第１の変形例に係る水受け部材を説明するための一部縦断面図である。
【図７】（ａ）は第２の変形例を説明するための一部縦断面図であり、（ｂ）は第３の変形例を説明するための一部縦断面図である。
【図８】（ａ）及び（ｂ）は第４の変形例を説明するための一部縦断面図である。
【符号の説明】
１；洗濯機用パン、
２；床面（設置部）、
１０；パン本体、
１７；開口部、
３０；給水栓、
４０；吐水口部材、
５５；元配管、
６０；水受け部材、
６７；高乱反射部位、
Ｓ、Ｔ、Ｕ；接続部。
【図１】
2004337473.tif 000003
【図２】
2004337473.tif 000004
【図３】
2004337473.tif 000005
【図４】
2004337473.tif 000006
【図５】
2004337473.tif 000007
【図６】
2004337473.tif 000008
【図７】
2004337473.tif 000009
【図８】
2004337473.tif 000010